(57)【要約】【課題】本体筐体天面の結露を防止して利便性を向上できる蒸気調理器を提供する。【解決手段】本体筐体４内に設けられて調理物を収納する加熱室２と、加熱室２内に蒸気を供給する蒸気発生装置５と、本体筐体４の天面に配された天面キャップ４０を有して天面キャップ４０の吹出口４０ａから加熱室２の排気を排気する排気通路３６、４１と、排気通路３６、４１の排気に外気を混合してこれを希釈する希釈ファン３１とを備え、吹出口４０ａから水平に対して２０゜以上斜め前方に排気を吹き出した。【選択図】図２
2010038366.tif 000002
【特許請求の範囲】
【請求項１】
本体筐体内に設けられて調理物を収納する加熱室と、前記加熱室内に蒸気を供給する蒸気発生装置と、前記本体筐体の天面に配された天面キャップを有して前記天面キャップの吹出口から前記加熱室の排気を排気する排気通路と、前記排気通路の排気に外気を混合してこれを希釈する希釈ファンとを備え、前記吹出口から水平に対して２０゜以上斜め前方に排気を吹き出すことを特徴とする加熱調理器。
【請求項２】
前記吹出口を形成する下壁の先端を鋭角にしたことを特徴とする請求項１に記載の蒸気調理器。
【請求項３】
前記下壁を前記吹出口から突出して設けたことを特徴とする請求項２に記載の蒸気調理器。
【請求項４】
前記加熱室内にマイクロ波を供給するマグネトロンと、前記加熱室に開口する給気口及び第１、第２排気口と、前記給気口を開閉する給気ダンパと、第１排気口を開閉する排気ダンパとを備え、前記排気通路が第１排気口から導出される第１排気路に第２排気口から導出される第２排気路を連結部で連結して成り、第１排気路が第１排気口から横方向に延びる横通路と前記横通路から縦方向に延びて前記天面キャップに接続される縦通路とを有し、前記横通路の底面に前記連結部を形成して該底面を前記連結部に向かって下方に傾斜したことを特徴とする請求項１〜請求項３のいずれかに記載の蒸気調理器。
【請求項５】
前記希釈ファンの送風経路は前記希釈ファンを配した縦送風路と、前記縦送風通路から横方向に延びて第１排気路内に挿通される横送風路と、前記横送風路から上方に延びて上方に向かって開口するノズル部とを有し、前記横送風路の底部に開口するとともに上方に向かって気流を送出するサブノズル部を設けたことを特徴とする請求項４に記載の蒸気調理器。
【請求項６】
前記横送風路の底面をサブノズル部に向かって下方に傾斜したことを特徴とする請求項５に記載の蒸気調理器。
【請求項７】
前記縦送風路と前記横送風路との連結部分に前記横送風路の下面から上方に突出するリブを設けたことを特徴とする請求項５または請求項６に記載の蒸気調理器。
【発明の詳細な説明】
【技術分野】
【０００１】
本発明は、加熱室に蒸気を供給して調理を行う蒸気調理器に関する。
【背景技術】
【０００２】
従来の蒸気調理器は特許文献１に開示されている。この蒸気調理器は調理物を収容する加熱室を本体筐体内に備え、加熱室の前面が扉により開閉される。加熱室の側方には加熱室内に蒸気を発生する蒸気発生装置が設けられる。蒸気発生装置の駆動により加熱室内に飽和蒸気または過熱蒸気を供給し、蒸気による調理を行うことができる。
【０００３】
加熱室の下部には加熱室内の蒸気を排気する排気ダクトが導出される。排気ダクトの上部は本体筐体の天面に突出し、前方に面した吹出口を有している。蒸気の供給によって加熱室内の圧力が上昇すると、排気ダクトに蒸気が流出する。排気ダクトを流通する蒸気は本体筐体の上方の吹出口から前方に向かって排気される。
【０００４】
これにより、加熱室内が常圧に維持される。従って、蒸気が供給された加熱室内が高圧になることによって扉が開き、高温の蒸気が噴出する危険を防止することができる。また、排気ダクトから上方に向かって排気されずに吹出口から前方に向かって排気される。このため、蒸気調理器の上方に広いスペースを設ける必要がなく、設置場所の選択範囲が広がるため蒸気調理器の使用性を向上できる。
【０００５】
【特許文献１】特開２００６−２９６９５号公報（第７頁−第１４頁、第５図）
【発明の開示】
【発明が解決しようとする課題】
【０００６】
しかしながら、上記従来の蒸気調理器によると、排気ダクトの吹出口から前方に向かって排気される蒸気は本体筐体の天面に沿って流通する。この時、蒸気が冷却されて結露し、本体筐体の天面に結露水が溜まる。このため、調理終了後に本体筐体の天面を拭き取る作業を必要とし、蒸気調理器の利便性が悪い問題があった。
【０００７】
本発明は、利便性を向上できる蒸気調理器を提供することを目的とする。
【課題を解決するための手段】
【０００８】
上記目的を達成するために本発明は、本体筐体内に設けられて調理物を収納する加熱室と、前記加熱室内に蒸気を供給する蒸気発生装置と、前記本体筐体の天面に配された天面キャップを有して前記天面キャップの吹出口から前記加熱室の排気を排気する排気通路と、前記排気通路の排気に外気を混合してこれを希釈する希釈ファンとを備え、前記吹出口から水平に対して２０゜以上斜め前方に排気を吹き出すことを特徴としている。
【０００９】
この構成によると、蒸気発生装置により発生した蒸気が加熱室内に供給され、調理が行われる。加熱室内は蒸気の供給によって内圧が上昇し、排気通路に上記が流出する。排気通路を流通する蒸気は希釈ファンによって外気が混合され、降温された蒸気が天面キャップの吹出口から水平に対して２０゜上方に吹き出される。
【００１０】
また本発明は、上記構成の蒸気調理器において、前記吹出口を形成する下壁の先端を鋭角にしたことを特徴としている。この構成によると、天面キャップの吹出口から吹き出される蒸気は鋭角に形成される下壁の先端によってコアンダ効果が打ち消される。これにより、コアンダ効果によって天面キャップに沿って吹出口の下方に降下する蒸気が減少する。
【００１１】
また本発明は、上記構成の蒸気調理器において、前記下壁を前記吹出口から突出して設けたことを特徴としている。この構成によると、吹出口から吹き出された蒸気が拡散し、下部の蒸気が下壁に沿って斜め上方に導かれる。
【００１２】
また本発明は、上記構成の蒸気調理器において、前記加熱室内にマイクロ波を供給するマグネトロンと、前記加熱室に開口する給気口及び第１、第２排気口と、前記給気口を開閉する給気ダンパと、第１排気口を開閉する排気ダンパとを備え、前記排気通路が第１排気口から導出される第１排気路に第２排気口から導出される第２排気路を連結部で連結して成り、第１排気路が第１排気口から横方向に延びる横通路と前記横通路から縦方向に延びて前記天面キャップに接続される縦通路とを有し、前記横通路の底面に前記連結部を形成して該底面を前記連結部に向かって下方に傾斜したことを特徴としている。
【００１３】
この構成によると、マイクロ波による調理時に給気ダンパ及び排気ダンパが開かれ、マグネトロン及び希釈ファンが駆動される。加熱室内には給気路を介して給気口から外気が供給され、第１、第２排気口から第１、第２排気路を介して排気される。これにより、調理物から発生した蒸気を含む排気の湿度等を検知して調理の終了時期が判別される。
【００１４】
蒸気による調理時には給気ダンパ及び排気ダンパが閉じられ、蒸気発生装置及び希釈ファンが駆動される。加熱室内には蒸気発生装置により蒸気が供給され、加熱室内の内圧上昇によって第２排気口から流出する。第２排気口から流出した蒸気は第２排気路を流通し、連結部を介して第１排気路に流入して排気される。
【００１５】
第１排気路は横通路及び縦通路を有し、本体筐体の天面で覆水した際に天面キャップの吹出口から第１排気路に侵入する水は縦通路を介して横通路に流入する。横通路に流入した水は傾斜した底面を流下し、連結部を介して第２排気路を流下して加熱室に回収される。
【００１６】
また本発明は、上記構成の蒸気調理器において、前記希釈ファンの送風経路は前記希釈ファンを配した縦送風路と、前記縦送風通路から横方向に延びて第１排気路内に挿通される横送風路と、前記横送風路から上方に延びて上方に向かって開口するノズル部とを有し、前記横送風路の底部に開口するとともに上方に向かって気流を送出するサブノズル部を設けたことを特徴としている。
【００１７】
この構成によると、希釈ファンの送風経路は縦送風路、横送風路及びノズル部を有したダクト状や管状に形成される。希釈ファンは縦送風路に配され、横送風路を第１排気路内に挿通してノズル部が上方に向かって開口する。これにより、エジェクタが形成され、希釈ファンの駆動によって第１排気路内に第１排気口から天面キャップの吹出口に向かう気流が発生する。
【００１８】
本体筐体の天面で覆水した際に天面キャップの吹出口から第１排気路に侵入する水は上方を開口するノズル部から送風経路に流入する。送風経路に流入した水は横送風路に設けたサブノズル部から第１排気路に排出され、第２排気路を介して加熱室に回収される。送風経路を流通する気流の一部はサブノズル部から第１排気路に流出する。この時、サブノズル部は上方に向かって気流を送出するため第１排気路を上方に流通し、第２排気路への逆流が防止される。
【００１９】
また本発明は、上記構成の蒸気調理器において、前記横送風路の底面をサブノズル部に向かって下方に傾斜したことを特徴としている。この構成によると、横送風路に流入する水は底面を流下してサブノズル部から排出される。
【００２０】
また本発明は、上記構成の蒸気調理器において、前記縦送風路と前記横送風路との連結部分に前記横送風路の下面から上方に突出するリブを設けたことを特徴としている。この構成によると、横送風路に流入した水はリブにより遮られ、希釈ファンが配される縦送風路への流入が防止れる。
【発明の効果】
【００２１】
本発明によると、排気通路の天面キャップの吹出口から水平に対して２０゜以上斜め前方に排気を吹き出すので、吹出口から吹き出される蒸気が本体筐体から離れて流通する。これにより、本体筐体の天面の結露を防止し、拭き取る作業が不要となるため蒸気調理器の利便性を向上することができる。
【発明を実施するための最良の形態】
【００２２】
以下に本発明の実施形態を図面を参照して説明する。図１、図２、図３は一実施形態の加熱調理器の正面断面図、側面断面図及び上面断面図を示している。加熱調理器１は本体筐体４内に前面を開口して扉３により開閉される加熱室２を有している。加熱室２内には載置トレイ９が配され、調理物が載置トレイ９に載置して収納される。
【００２３】
本体筐体４内には加熱室２の外壁に沿う循環ダクト１０が設けられる。循環ダクト１０は右側の側面部１１、天面の天面部１２、左側の側面部１３を順に連結して形成される。側面部１１には加熱室２に臨む吸気口１０ａが前後方向の略中央に開口し、天面部１２及び側面部１３には加熱室２に臨む噴出口１０ｂ、１０ｃが開口する。
【００２４】
また、加熱室２の右側壁には吸気口１０ａの手前側に給気口３３が開口し、奥側に第１排気口３４が開口する。給気口３３は扉３の近傍に配され、給気口３３から吹き出される気流が扉３に沿って流通するようになっている。第１排気口３４の後方下部には第２排気口３５が開口する。第２排気口３５は第１排気口３４よりも開口面積が小さくなっている。
【００２５】
側面部１１には循環モータ１４ａにより駆動される循環ファン１４が配される。循環ファン１４の駆動によって加熱室２内の蒸気や空気が吸気口１０ａから循環ダクト１０に吸い込まれ、噴出口１０ｂ、１０ｃから吹き出される。側面部１１には温度センサ１６が設けられ、側面部１１に流入する加熱室２内の蒸気や空気の温度が検知される。
【００２６】
天面部１２にはシーズヒータ等から成る加熱ヒータ１５が配される。加熱ヒータ１５の輻射熱によって調理物が加熱される。また、加熱ヒータ１５によって循環ダクト１０を流通する蒸気や空気が加熱され、加熱された蒸気や空気が噴出口１０ｂ、１０ｃから吹き出される。これにより、加熱室２内の蒸気や空気が所定温度に維持される。また、加熱室２に供給される蒸気を更に昇温して過熱蒸気を生成することができる。
【００２７】
加熱室２の右側方には着脱自在の給水タンク７が配される。給水タンク７の背後には蒸気発生装置５が設けられる。蒸気発生装置５は給水タンク７に接続され、ヒータ（不図示）の加熱によって蒸気を発生する。蒸気発生装置５には蒸気ダクト６が導出され、循環ダクト１０の側面部１１に接続される。蒸気発生装置５で発生した蒸気は蒸気ダクト６を流通し、流入口６ａを介して循環ダクト１０の側面部１１に流入する。
【００２８】
加熱室２の下方及び右側方には本体筐体４と加熱室２との間に外気流入ダクト８が形成される。外気流入ダクト８は本体筐体４の底面に吸込口８ａが開口する。外気流入ダクト８の下部には冷却ファン１７、電装部品１８及びマグネトロン２０が配される。外気流入ダクト８の側部には送風ダクト３０が配される。送風ダクト３０内には駆動モータ３１ａにより駆動される希釈ファン３１が設けられる。
【００２９】
電装部品１８は加熱調理器１の各部を駆動する駆動回路やこれを制御する制御回路等から成り、多数の発熱素子が実装されている。マグネトロン２０は導波管２１を介して加熱室２内にマイクロ波を供給する。冷却ファン１７は外気流入ダクト８内に吸込口８ａを介して外気を取り込み、発熱する電装部品１８やマグネトロン２０を冷却する。また、冷却ファン１７によって外気流入ダクト８に流入した外気が希釈ファン３１に導かれる。外気流入ダクト８内に取り込まれた外気は本体筐体４の背面等に形成された開口（不図示）から流出する。
【００３０】
図４は加熱装置１の第１排気口３４を通る断面の正面断面図を示している。図１〜図４において、加熱室２の右側壁には第１排気口３４から第１排気ダクト３６（第１排気路）が導出される。第１排気ダクト３６は横方向に延びる横通路３６ａと横通路３６ａから上方に屈曲する縦通路３６ｂとを有している。縦通路３６ｂの上端には本体筐体４の天面に配される天面キャップ４０が設けられる。
【００３１】
横通路３６ａの背面側には吸込ダクト３８を介して外気を吸い込む吸込口３８ａが形成される。横通路３６ａの前面側には吸込口３８ａに対向して湿度センサ３９が配される。湿度センサ３９は第１排気口３４の排気の湿度を検知する。また、横通路３６ａには第１排気口３４及び吸込口３８ａを択一的に開く排気ダンパ３７が設けられる。
【００３２】
図５は排気ダンパ３７の詳細を示す上面断面図である。排気ダンパ３７は駆動モータ（不図示）により軸部３７ｂで回動自在に支持されるアーム３７ｃを有し、アーム３７ｃの先端に可撓性部材３７ａが配される。アーム３７ｃは細い中実棒から成り、弾性変形可能になっている。同図に示すように、可撓性部材３７ａが第１排気口３４の周囲に密接して第１排気口３４が閉じられる。この時、アーム３７ｃ（弾性部材）の弾性力によって排気ダンパ３７は閉じる方向に付勢され、吸込口３８ａは開放される。
【００３３】
また、図６に示すように、アーム３７ｃが回動して可撓性部材３７ａが吸込口３８ａの周囲に密接すると、吸込口３８ａが閉じられる。この時、第１排気口３４は開放される。従って、排気ダンパ３７によって吸込口３８ａを開閉する吸込ダンパが構成される。第１排気口３４と吸込口３８ａとを一つの排気ダンパ３７により開閉するため、部品点数を削減することができる。
【００３４】
第１排気ダクト３６の縦通路３６ｂは上部で流路面積が拡大され、天面キャップ４０に連結される。図７は天面キャップ４０の詳細を示す側面断面図である。天面キャップ４０は開放端が前方に向かって開口して吹出口４０ａが形成される。吹出口４０ａの下端は本体筐体４の天面から離れて配される。これにより、本体筐体４上で覆水した際に第１排気路３６への浸水を抑制することができる。
【００３５】
また、天面キャップ４０は吹出口４０ａを端面に形成する上壁４０ｃ及び下壁４０ｄが水平に対して上方に傾斜し、傾斜角度αが２０゜以上に形成される。これにより、天面キャップ４０の吹出口４０ａから外部に放出される排気は水平に対して２０゜以上斜め上方に吹き出される。
【００３６】
傾斜角度αが２０゜よりも小さいと、吹出口４０ａから斜めに吹き出される気流がコアンダ効果によって吹出口４０ａの下方及び本体筐体４の天面に沿って流通しやすくなる。このため、吹出口４０ａの下端が本体筐体４の天面から離れ、傾斜角度αを２０゜以上に形成することにより、本体筐体４の天面に沿う蒸気の流通を低減できる。従って、本体筐体４の天面の結露を低減することができる。
【００３７】
吹出口４０ａの下壁４０ｄは吹出口４０ａから前方に突出して突起部４０ｂを形成する。これにより、吹出口４０ａから吹き出されて拡散する蒸気は突起部４０ｂにより降下が遮られる。また、突起部４０ｂによって吹出口４０ａの下部から本体筐体４の天面に沿って蒸気が流通するコアンダ効果を打ち消すことができる。これにより、本体筐体４の天面の結露をより低減することができる。加えて、突起部４０ｂの先端の角度βが鋭角に形成される。これにより、上記のコアンダ効果をより確実に打ち消すことができる。
【００３８】
尚、傾斜角度αが４５゜を超えると本体筐体４の上方に広い空間を必要とするため、傾斜角度αを４５゜以下にするとより望ましい。
【００３９】
第１排気ダクト３６の縦通路３６ｂの下面には第２排気口３５から導出される第２排気ダクト４１（第２排気路）が連結部４１ａで連結される。これにより、横通路３６ａに配される湿度センサ３９は縦通路３６ｂに設けられる連結部４１ａよりも上流側に配される。第２排気ダクト４１を可撓性のチューブにより形成してもよい。
【００４０】
第２排気ダクト４１は第１排気ダクト３６よりも流通面積が狭く形成される。第２排気口３５の排気は第２排気ダクト４１を流通して連結部４１ａを介して第１排気ダクトに流入し、天面キャップ４０の吹出口４０ａから外部に放出される。尚、第１排気ダクト３６の底面は連結部４１ａに向かって下方に傾斜している。
【００４１】
加熱室２の側方の送風ダクト３０は下部に希釈ファン３１が配され、希釈ファン３１の排気側の送風経路が上部に形成される。送風ダクト３０は縦送風路３０ａ、横送風路３０ｂ、及びノズル部３０ｃを有している。縦送風路３０ａは希釈ファン３１から上方に延びて形成される。横送風路３０ｂは縦送風路３０ａから後方に屈曲して形成され、第１排気ダクト３６内に挿通される。
【００４２】
ノズル部３０ｃは横送風路３０ｂから更に上方に屈曲し、端部の開口部３０ｄが上方に向かって開口する。これにより、第１排気ダクト３６内にエジェクタが形成され、希釈ファン３１の駆動によって第１排気口３４から開放端（吹出口４０ａ）に向かう気流を発生させる。この時、連結部４１ａ及び吸込口３８ａは開口部３０ｄよりも上流側に配される。これにより、第２排気ダクト４１及び吸込ダクト３８には負圧が加わるため気流の逆流を防止することができる。
【００４３】
横送風路３０ｂには縦送風路３０ａとの接続部の下端よりも下方に凹設される凹部３０ｇが形成される。凹部３０ｇの一端には第１排気ダクト４０に臨んで開口するサブノズル部３０ｅが形成される。サブノズル部３０ｅは下壁が上方に向かって傾斜する。これにより、希釈ファン３１の駆動によってサブノズル部３０ｅから第１排気ダクト３６に流出する気流は上方に向かい、第２排気ダクト４１への逆流を防止することができる。
【００４４】
凹部３０ｇの下壁はサブノズル部３０ｅに向かって下方に傾斜する。このため、本体筐体４の天面で覆水して天面キャップ４０から送風ダクト３０に水が流入した場合に、凹部３０ｇで水を受けてサブノズル部３０ｅから第１排気ダクト３６に排水される。第１排気ダクト３６に侵入した水は傾斜した底面を流下し、第２排気ダクト４１を介して加熱室２に回収される。これにより、希釈ファン３１の駆動モータ３１ａの浸水を防止することができる。
【００４５】
また、送風ダクト３０の縦送風路３０ａと横送風路３０ｂとの接続部には上方に延びるリブ３０ｆが突設される。リブ３０ｆは横送風路３０ｂ内で加熱室２側に偏って設けられる。希釈ファン３１の駆動モータ３１ａは縦送風路３０ａ内で加熱室２側に偏って配置される。即ち、リブ３０ｆは駆動モータ３１ａと同じ側に偏って設けられる。これにより、本体筐体４の天面で覆水して送風ダクト３０に水が流入した場合に、希釈ファン３１の駆動モータ３１ａの浸水をより確実に防止することができる。
【００４６】
送風ダクト３０の縦送風路３０ａの上部には給気チューブ３２が分岐して設けられる。給気チューブ３２は加熱室２の給気口３３から導出される給気ダクト５０に接続される。給気チューブ３２及び給気ダクト５０は希釈ファン３１の駆動により給気口３３を介して加熱室２に給気する給気路を構成する。給気チューブ３２をダクトにより形成してもよい。
【００４７】
給気ダクト５０は給気口３３に対向するリーク孔５０ａが形成され、給気口３３及びリーク孔５０ａを択一的に開閉する給気ダンパ５１が設けられる。給気ダクト５０によって給気ダンパ５１のハウジングが形成される。
【００４８】
図８は給気ダクト５０及び給気ダンパ５１の詳細を示す側面断面図である。給気ダンパ５１のハウジングを形成する給気ダクト５０は端面に可撓性部材から成る環状のパッキン５２が被嵌され、給気口３３に嵌設される。これにより、給気口３３と給気ダクト５０との気密性が保持される。
【００４９】
パッキン５２の内周側には環状の突出部５２ａが突設される。同図に示すように閉じられた給気ダンパ５１は突出部５２ａに密接し、給気口３３からの気流漏れが防止される。給気口３３と給気ダクト５０とを気密にするパッキン５２によって給気口３３と給気ダンパ５１とを気密にするため、部品点数を削減することができる。
【００５０】
給気ダンパ５１は下端の軸部５１ａで回動自在に支持され、給気ダクト５０に連結される引張りバネ５３によって開く方向に付勢される。給気ダンパ５１の背後には駆動モータ５４が配される。駆動モータ５４の回転軸５４ａには給気ダンパ５１の背面に当接するカム５５が取り付けられる。
【００５１】
給気ダクト５０の上部には給気チューブ３２を接続する流入部５０ｂが形成される。流入部５０ｂは下方が前方になるように傾斜し、流入部５０ｂを介して給気口３３から扉３（図３参照）に向かって気流が吹き出されるようになっている。リーク孔５０ａは流入部５０ｂの下方に設けられ、リーク孔５０ａの周囲の壁面５０ｃは鉛直に対して傾斜した傾斜面に形成される。
【００５２】
駆動モータ５４の駆動により給気ダンパ５１はカム５５により押圧され、引張りバネ５３の付勢力に抗して給気ダンパ５１がパッキン５２の突出部５２ａに密接する。これにより、給気ダンパ５１は非弾性部材から成るカム５５の押圧によって閉じた状態が保持される。この時、リーク孔５０ａは開放される。希釈ファン３０の駆動により流入部５０ｂを介して給気ダクト５０内に流入する気流はリーク孔５０ａを介して外気流入ダクト８に戻る。
【００５３】
排気ダンパ３７は弾性部材のアーム３７ｃ（図５参照）により閉じる方向に付勢され、給気ダンパ５１は非弾性部材のカム５５により閉じた状態が保持される。このため、排気ダンパ３７及び給気ダンパ５１を閉じて加熱室２の内圧が異常上昇した際に排気ダンパ３７がアーム３７ｃの付勢力に抗して開いて排気される。これにより、加熱調理器１の安全性を向上できるとともに、給気口３３からの蒸気の逆流を防止することができる。
【００５４】
図９に示すように、給気ダンパ５１から退避する方向にカム５５が回転すると、引張りバネ５３の付勢力によって給気ダンパ５１が開かれる。給気ダンパ５１は傾斜した壁面５０ｃに当接して開いた状態が保持される。この時、リーク孔５０ａは閉じられる。これにより、希釈ファン３０の駆動によって流入部５０ｂを介して給気ダクト５０内に流入する気流は給気口３３から加熱室２に供給される。
【００５５】
給気ダンパ５１の下部には加熱室２に面したリブから成る受け部５１ｂが突設される。受け部５１ｂは加熱室２側及び上部を開放したコ字状に形成される。給気ダンパ５１は開いた際に高温の加熱室２の気体に接触するため表面に結露が発生する。壁面５０ｃにより傾斜する給気ダンパ５１は結露水が流下して受け部５１ｂに溜められる。そして、給気ダンパ５１を閉じた際に受け部５１ｂから加熱室２に結露水が回収される。これにより、電装部品１８が配される外気流入ダクト８（図１参照）への漏水を防止することができる。
【００５６】
上記構成の加熱調理器において、マイクロ波による調理を開始すると、マグネトロン２０が駆動される。また、図１０に示すように、給気ダンパ５１及び排気ダンパ３７により給気口３３及び排気口３４が開かれ、冷却ファン１７及び希釈ファン３１が駆動される。マグネトロン２０によって導波管２１を介して加熱室２内にマイクロ波が供給され、調理物がマイクロ波加熱される。
【００５７】
冷却ファン１７により矢印Ａ１（図１参照）に示すように吸込口８ａから外気流入ダクト８内に外気が流入する。外気流入ダクト８内に流入した外気は矢印Ａ２（図１参照）に示すように電装部品１８及びマグネトロン２０を冷却する。電装部品１８及びマグネトロン２０を冷却して昇温された外気は矢印Ａ３（図１参照）に示すように希釈ファン３１に導かれる。
【００５８】
希釈ファン３１は外気を送出し、矢印Ａ４、Ａ５（図２参照）に示すように送風ダクト３０、給気チューブ３２、給気ダクト５０を流通する。給気ダクト５０に導かれた外気は矢印Ａ６（図１０参照）に示すように給気口３３から加熱室２に供給される。
【００５９】
この時、扉３近傍に配された給気口３３から吹き出される気流が扉３に沿って流通する。これにより、電装部品１８及びマグネトロン２０を冷却して昇温された空気によって扉３の結露を防止することができる。また、給気ダクト５０の流入部５０ｂによって扉３に向かって気流が吹き出される。このため、給気口３３から吹き出される気流が確実に扉３に届き、結露を更に防止することができる。
【００６０】
また、矢印Ａ７、Ａ８（図２参照）に示すように送風ダクト３０のノズル部３０ｃ及びサブノズル部３０ｅを介して第１排気ダクト３６に外気が供給される。
【００６１】
加熱室２内の空気は矢印Ａ９、Ａ１１（図１０参照）に示すように第１、第２排気口３４、３５から排気される。第２排気口３５の排気は第２排気ダクト４１を流通し、矢印Ａ１０（図２参照）に示すように連結部４１ａを介して第１排気ダクト３６に導かれる。
【００６２】
第１排気口３４の排気は第１排気ダクト３６の横通路３６ａで湿度センサ３９と接触する。これにより、加熱室２内の湿度が検知される。横通路３６ａを通る排気は縦通路３６ｂを流通して第２排気ダクト４１の排気と合流して上昇し、矢印Ａ１２（図２参照）に示すように天面キャップ４０の吹出口４０ａから外部に放出される。この時、送風ダクト３０のノズル部３０ｃ及びサブノズル部３０ｅがエジェクタを形成するため、第２排気ダクト４１及び第１排気口３３には負圧が加わる。これにより、排気の逆流を防止することができる。
【００６３】
マイクロ波加熱によって調理物から蒸気が発生し、加熱室２内が所定の湿度になると湿度センサ３９の検知によって調理の終了時期が判断される。これにより、マイクロ波による調理が終了する。
【００６４】
図１１は蒸気による調理の動作を示すフローチャートである。蒸気による調理が開始されると、ステップ＃１１で前述の図３に示すように給気ダンパ５１及び排気ダンパ３７により給気口３３及び第１排気口３４が閉じられる。ステップ＃１２では蒸気発生装置５及び加熱ヒータ１５が駆動される。これにより、循環ダクト１０内に蒸気が供給され、加熱ヒータ１５の加熱によって過熱蒸気が生成される。
【００６５】
ステップ＃１３では冷却ファン１７、希釈ファン３１及び循環ファン１４が駆動される。上記と同様に、冷却ファン１７及び希釈ファン３１の駆動によって吸込口８ａから外気流入ダクト８内に外気が流入する。そして、送風ダクト３０のノズル部３０ｃ及びサブノズル部３０ｅを介して第１排気ダクト３６に外気が供給される。
【００６６】
循環ファン１４の駆動によって加熱室２内の蒸気は矢印Ｃ１（図１参照）に示すように吸気口１０ａから循環ダクト１０に流入する。循環ダクト１０に流入した蒸気は矢印Ｃ２、Ｃ３（図１参照）に示すように噴出口１０ｂ、１０ｃから加熱室２内に吹き出される。これにより、加熱室２内の蒸気が循環ダクト１０を介して循環する。循環ダクト１０を流通する蒸気は加熱ヒータ１５により加熱され、蒸気が所定温度に維持されて調理が行われる。尚、加熱ヒータ１５の温度や駆動時間を調整して飽和蒸気による調理を行ってもよい。
【００６７】
蒸気発生装置５から加熱室２内に蒸気を供給することにより矢印Ａ９（図１参照）に示すように加熱室２から第２排気口３５を介して蒸気が流出する。これにより、加熱室２の内圧が一定に維持される。第２排気ダクト４１の流路面積は第１排気ダクト３６よりも狭いため、蒸気の流出量が少なく加熱効率を向上することができる。
【００６８】
第２排気口３５の排気は第２排気ダクト４１を流通し、連結部４１ａを介して第１排気ダクト３６に導かれる。希釈ファン３１によって第１排気ダクト３６には外気が供給されるため、第２排気口３５の排気が希釈されて外部に放出される。これにより、蒸気が降温して放出され、加熱調理器１の安全性を向上することができる。
【００６９】
この時、外気流入ダクト８を流通する外気は電装部品１８及びマグネトロン２０と熱交換して昇温される。これにより、第２排気口３５の排気が昇温された外気と混合され、排気の相対湿度を下げることができる。従って、第１、第２排気ダクト３６、４１内の結露を低減することができる。
【００７０】
また、湿度センサ３９は第２排気ダクト４１の連結部４１ａよりも上流側に配されるため、第２排気ダクト４１から第１排気ダクト３６に流入する蒸気と湿度センサ３９との接触を低減できる。これにより、湿度センサ３９の結露を低減し、次回のマイクロ波による調理を良好に行うことができる。
【００７１】
また、ノズル部３０ｃ及びサブノズル部３０ｅから第１排気ダクト３６に外気が流入することにより、吸込ダクト３８にはエジェクタによる負圧が加わる。このため、矢印Ｂ１（図２、図３参照）に示すように吸込口３８ａから第１排気ダンパ３６内に外気が取り込まれる。これにより、第２排気口３５の排気を更に希釈することができる。加えて、吸込口３８ａと連結部４１ａとの間に湿度センサ３９が配されるため、吸込口３８ａからの外気に湿度センサ３９が接触する。これにより、湿度センサ３９が乾燥され、湿度センサ３９の結露を更に防止することができる。
【００７２】
尚、第２排気ダクト４１にもエジェクタによる負圧が加わるため、第２排気ダクト４１の逆流が防止される。第２排気ダクト４１は流路面積が狭いため結露が生じると結露水により密閉され、エジェクタの負圧によって吸い上げられずに加熱室２の内圧が上昇する場合が生じる。このため、駆動期間と停止期間を交互に設けられた断続運転により希釈ファン３１を駆動するとより望ましい。これにより、希釈ファン３１の停止中に第２排気ダクト４１内の結露が流下して加熱室２に回収され、加熱室２の内圧を維持することができる。
【００７３】
ステップ＃１４では所定の調理時間が経過するまで待機する。所定時間が経過して調理が終了するとステップ＃１５で蒸気発生装置５及び加熱ヒータ１５が停止される。ステップ＃１６では循環ファン１４が停止される。
【００７４】
ステップ＃１７では図１２に示すように給気ダンパ５１が開かれる。これにより、加熱室２内には給気チューブ３２及び給気ダクト５０を介して給気口３３から外気が供給され（矢印Ａ６）、第２排気口３５から排気される。その結果、加熱室２内が冷却される。この時、排気ダンパ３７は閉じられた状態であるため、加熱室２内の蒸気と湿度センサ３９との接触を回避することができる。
【００７５】
ステップ＃１８では所定の冷却時間が経過するまで待機する。所定時間が経過するとステップ＃１９に移行する。加熱室２の温度を検知して所定温度に到達した際にステップ＃１９に移行してもよい。ステップ＃１９では冷却ファン１７及び希釈ファン３１が停止される。ステップ＃２０では調理の終了が報知される。
【００７６】
また、蒸気の供給を停止して加熱ヒータ１５及び循環ファン１４を駆動し、空気の熱風による調理を行うことができる。この場合も蒸気による調理と同様に動作して調理される。この時、蒸気がないため調理後の冷却時に排気ダンパ３７を開いてもよい。これにより、排気量が増加して迅速に加熱室２内を冷却することができる。
【００７７】
尚、蒸気や熱風による調理中に閉じられた給気ダンパ５１を冷却時に開き、所定期間が経過した後に排気ダンパ３７を開いてもよい。これにより、第２排気口３５から少量の気体を排気しながらある程度まで冷却した後に第１排気口３４から大量の気体を排気して冷却することができる。従って、安全性を確保するとともに迅速に冷却することができる。
【００７８】
また、蒸気や熱風による調理中に閉じられた給気ダンパ５１を調理後に開いて加熱室２を冷却しているが、調理完了の所定時間前（例えば、１分前）に開いてもよい。これにより、調理完了時に加熱室２が冷却されて扉３を開くことができるため、加熱調理器１の利便性を向上することができる。
【００７９】
本実施形態によると、排気通路の天面キャップ４０の吹出口４０ａから水平に対して２０゜以上斜め前方に排気を吹き出すので、吹出口４０ａから吹き出される蒸気が本体筐体４から離れて流通する。これにより、本体筐体４の天面の結露を防止し、拭き取る作業が不要となるため蒸気調理器１の利便性を向上することができる。
【００８０】
また、吹出口４０ａを形成する下壁４０ｄの先端の角度βを鋭角にしたので、吹出口４０ａから吹き出される気流のコアンダ効果を打ち消して本体筐体４の天面に沿う気流を更に低減することができる。
【００８１】
また、吹出口４０ａを形成する下壁４０ｄを吹出口４０ａから突出して突起部４０ｂを設けたので、突起部４０ｂにより吹出口４０ａから吹き出される気流のコアンダ効果が打ち消される。また、吹出口４０ａから拡散する蒸気の降下が遮られる。従って、本体筐体４の天面に沿う気流を更に低減することができる。
【００８２】
また、給気口３３及び第１、第２排気口３４、３５を設けるとともに給気口３３及び第１排気口３４それぞれ開閉する給気ダンパ５１及び排気ダンパ３７を設け、第２排気ダクト４１（第２排気路）が第１排気ダクト３６（第１排気路）よりも流路面積が狭く第２排気口３５の排気が希釈ファン３１により希釈されるので、蒸気による調理時には給気ダンパ５１及び排気ダンパ３７を閉じることにより、排気が流路面積の狭い第２排気ダクト４１を流通する。これにより、蒸気の流出が低減されるとともに内圧上昇による扉３の開成が防止される。加えて、希釈ファン３１によって第２排気口３５の排気が希釈して冷却される。従って、加熱調理器１の加熱効率及び安全性を向上することができる。
【００８３】
また、マイクロ波による調理時には給気ダンパ５１及び排気ダンパ３７を開いて外気を加熱室２に送出し、排気の湿度によって正確に調理の終了時期を判別できる。
【００８４】
また、第１排気路３６の横通路３６ａの底面を連結部４１ａに向かって傾斜したので、本体筐体４の天面で覆水して第１排気ダクト３６に水が侵入した際に横通路３６ａの底面を水が流下して第２排気ダクト４１を介して加熱室２に水が回収される。これにより、使用者が加熱室２を拭き取って容易に水を除去することができる。従って、水の残留を防止してカビの発生等を防止することができる。
【００８５】
また、送風ダクト３０は横送風路３０ｂが第１排気ダクト３６内に挿通してノズル部３０ｃが上方に向かって開口するエジェクタを構成し、横送風路３０ｂの底部に開口したサブノズル部３０ｅを設けている。これにより、本体筐体４の天面で覆水してノズル部３０ｃから送風ダクト３０に水が侵入した際に、サブノズル部３０ｅを介して第１排気ダクト３６に排水されて加熱室２に水が回収される。従って、水の残留を防止するとともに、希釈ファン３１を配した縦送風路３０ａの浸水を防止することができる。
【００８６】
また、サブノズル部３０ｅから上方に向かって気流を送出するので、第１排気ダクト３６内の逆流を防止することができる。
【００８７】
また、横送風路３０ｂの底面をサブノズル部３０ｅに向かって下方に傾斜したので、横送風路３０ｂに侵入した水を容易にサブノズル部３０ｅに導いて水の残留をより低減することができる。
【００８８】
また、縦送風路３０ａと横送風路３０ｂとの連結部分に横送風路３０ｂの下面から上方に突出するリブ３０ｆを設けたので、希釈ファン３１を配した縦送風路３０ａの浸水を更に防止することができる。
【産業上の利用可能性】
【００８９】
本発明によると、加熱室に蒸気を供給して調理を行う加熱調理器に利用することができる。
【図面の簡単な説明】
【００９０】
【図１】本発明の実施形態の加熱調理器を示す正面断面図
【図２】本発明の実施形態の加熱調理器を示す側面断面図
【図３】本発明の実施形態の加熱調理器を示す上面断面図
【図４】本発明の実施形態の加熱調理器の第１排気口を通る断面を示す正面断面図
【図５】本発明の実施形態の加熱調理器の排気ダンパの閉じた状態を示す上面断面図
【図６】本発明の実施形態の加熱調理器の排気ダンパの開いた状態を示す上面断面図
【図７】本発明の実施形態の加熱調理器の天面キャップの詳細を示す側面断面図
【図８】本発明の実施形態の加熱調理器の給気ダンパの閉じた状態を示す上面断面図
【図９】本発明の実施形態の加熱調理器の給気ダンパの開いた状態を示す上面断面図
【図１０】本発明の実施形態の加熱調理器のマイクロ波による調理時を示す上面断面図
【図１１】本発明の実施形態の加熱調理器の蒸気による調理の動作を示すフローチャート
【図１２】本発明の実施形態の加熱調理器の蒸気による調理後の冷却時を示す上面断面図
【符号の説明】
【００９１】
１    加熱調理器
２    加熱室
３    扉
４    本体筐体
５    蒸気発生装置
６    蒸気ダクト
７    給水タンク
８    外気流入ダクト
９    載置トレイ
１０    循環ダクト
１０ａ  吸気口
１０ｂ、１０ｃ  噴出口
１１、１３  側面部
１２    天面部
１４    循環ファン
１５    加熱ヒータ
１７    冷却ファン
１８    電装部品
２０    マグネトロン
２１    導波管
３０    送風ダクト
３０ａ  鉛直部
３０ｂ  水平部
３０ｃ  ノズル部
３０ｄ  開口部
３０ｅ  サブノズル部
３０ｆ  リブ
３０ｇ  凹部
３１    希釈ファン
３２    給気チューブ
３３    給気口
３４    第１排気口
３５    第２排気口
３６    第１排気ダクト
３６ａ  水平部
３６ｂ  鉛直部
３７    排気ダンパ
３７ａ  可撓性部材
３７ｂ  アーム部
３８    吸込ダクト
３８ａ  吸込口
３９    湿度センサ
４０    天面キャップ
４０ａ  吹出口
４０ｂ  突起部
４１    第２排気ダクト
４１ａ  連結部
５０    給気ダクト
５０ａ  リーク孔
５０ｂ  流入部
５２    パッキン
５２ａ  突出部
５１    給気ダンパ
５１ｂ  受け部
５３    引張りバネ
５４    駆動モータ
５５    カム
【図１】
2010038366.tif 000003
【図２】
2010038366.tif 000004
【図３】
2010038366.tif 000005
【図４】
2010038366.tif 000006
【図５】
2010038366.tif 000007
【図６】
2010038366.tif 000008
【図７】
2010038366.tif 000009
【図８】
2010038366.tif 000010
【図９】
2010038366.tif 000011
【図１０】
2010038366.tif 000012
【図１１】
2010038366.tif 000013
【図１２】
2010038366.tif 000014